(57)【要約】【課題】非接触券のようなカードを短時間で購入できるようにする。【解決手段】所定のカードを発行するのに必要な所定の情報をその所定のカードを購入する者の機器を介して入力する入力手段と、前記入力手段から離れた所定の位置に設けられ、その入力手段から入力された所定の情報に基づいてその所定のカードを発行する者の機器を用いて所定のカードを生成して発行する発行手段とからなる。【選択図】　　　図２
2004070650.tif 000002
【特許請求の範囲】
【請求項１】
所定のカードを発行するのに必要な所定の情報をその所定のカードを購入する者の機器を介して入力する入力手段と、
前記入力手段から離れた所定の位置に設けられ、その入力手段から入力された所定の情報に基づいてその所定のカードを発行する者の機器を用いて所定のカードを生成して発行する発行手段と、
からなることを特徴とするカード発行システム。
【請求項２】
請求項１に記載のカード発行システムにおいて、所定のカードを発行するのに必要な所定の情報の入力は、通信回線を介して行うことを特徴とするカード発行システム。
【請求項３】
請求項１又は２に記載のカード発行システムにおいて、所定のカードを発行するのに必要な所定の情報の入力は、その所定のカードを発行する者の提供するインターネット上のホームページを用いて行うことを特徴とするカード発行システム。
【請求項４】
請求項１〜３のいずれかに記載のカード発行システムにおいて、所定のカードは、無線通信機能を有するＩＣカードからなる非接触券であることを特徴とするカード発行システム。
【請求項５】
請求項１〜４のいずれかに記載のカード発行システムにおいて、所定のカードを発行する者の機器は、その所定のカードを購入する者によって操作される自動カード発行機又はその所定のカードを発行する者によって操作される係員処理機であることを特徴とするカード発行システム。
【発明の詳細な説明】
【０００１】
【発明の属する技術分野】
本発明は、無線通信機能を備えたＩＣカードからなる非接触券のようなカードを効率よく発行することのできるカード発行システムに関する。
【０００２】
【従来の技術】
近年、利用者の利便向上を図るために、定期券を定期券入れから出し入れすることなく、定期券を自動改札機の本体のアンテナに軽くタッチして、あるいはそのアンテナにかざして（以下、タッチで説明する。）入出場（入場又は出場を意味している。以下、同じ。）できる非接触式の自動改札機が使用されるようになってきている。
【０００３】
この非接触式の自動改札機で使用される定期券は、無線通信機能を備えたＩＣカードの非接触券からなり、その非接触券と自動改札機との間でデータ授受が行われて入出場処理が行われるように構成されている。すなわち、非接触券が自動改札機のアンテナにタッチされると、その非接触券に記録されている有効期間や乗車区間等のカードデータが自動改札機に取込まれる。そして、その取込まれたデータを基にした自動改札機における入出場の演算処理において、入出場を許可できると判定されたときは、ドアが開かれて（自動改札機がノーマルオープン型のときはそのまま）改札通路の通過が許可されるとともに、その入出場の演算処理で得られた新たな入出場データが非接触券に書込まれる。また、その入出場の演算処理において入出場を許可できないと判定されたときは、ドアが閉じられて改札通路の通過が阻止されるように構成されている。
【０００４】
この非接触券は、ＩＣカードからなるため、従来の磁気券からなる定期券に比べて格段に記憶容量が大きく、このため、定期券情報の他にＳＦカード情報等も記憶させて多機能化が図られている。したがって、従来の定期券の所持者情報よりも詳細な所持者情報を非接触券に記憶させるとともに、これら情報を中央のホストコンピュータによって管理し、非接触券の紛失や再発行、あるいは不正使用等に速やかに対処できるように運用されている。
【０００５】
【発明が解決しようとする課題】
上述のように、非接触券のようなカードは、利便性が高まる分だけ、そのカードの発行時に入力する情報量が多くなり、したがって、カード発行時間が多くかかるという欠点がある。特に、新学期や夏休みあけ等は、新規カード（非接触券）の購入者が一時に増加するため、自動カード発行機やカード発行の係員窓口が長蛇の列になるという欠点があった。
【０００６】
そこで、本発明は、上記欠点を解決するためになされたものであって、その目的は、カード発行を短時間で行うことのできるカード発行システムを提供することにある。
【０００７】
【課題を解決するための手段】
本発明に係るカード発行システムは、上記目的を達成するために、請求項１に記載の発明は、所定のカードを発行するのに必要な所定の情報をその所定のカードを購入する者の機器を介して入力する入力手段と、その入力手段から離れた所定の位置に設けられ、その入力手段から入力された所定の情報に基づいてその所定のカードを発行する者の機器を用いて所定のカードを生成して発行する発行手段と、からなることを特徴としている。
本発明の請求項２に記載のカード発行システムは、所定のカードを発行するのに必要な所定の情報の入力は、通信回線を介して行うことを特徴としている。
本発明の請求項３に記載のカード発行システムは、所定のカードを発行するのに必要な所定の情報の入力は、その所定のカードを発行する者の提供するインターネット上のホームページを用いて行うことを特徴としている。
本発明の請求項４に記載のカード発行システムは、所定のカードは、無線通信機能を有するＩＣカードからなる非接触券であることを特徴としている。
本発明の請求項５に記載のカード発行システムは、所定のカードを発行する者の機器は、その所定のカードを購入する者によって操作される自動カード発行機又はその所定のカードを発行する者によって操作される係員処理機であることを特徴としている。
【０００８】
【発明の実施の形態】
以下、本発明の実施の形態を図面に基づいて説明する。図１は、一実施の形態に係るカード発行システムの概略構成図である。図１中、ａは係員処理機、ｂは自動カード発行機であって、所定の鉄道会社（電鉄会社）の一つの駅である甲駅にそれぞれ設置されている。
【０００９】
係員処理機ａは、いわゆる窓口機と呼ばれるものであり、駅の係員窓口に設置されてその駅の係員（駅員）によって操作されるものである。この係員処理機ａは、周知の無線機能を備えたＩＣカードからなる本発明のカードに相当する非接触券（図示せず）を生成して発行する係員処理機と同様に構成されていて、正面に表示画面及びテンキー等からなる入力部を有し、その内部に、いわゆる生カードに所定のデータ（定期券の有効区間や有効期間、あるいはＳＦデータ等のカードデータ）をメモリに記憶するとともに、券面に所定の内容（定期券の有効区間や有効期間、あるいは所持者名等）を印字して非接触券を生成して発行する発行ユニットが設けられている。
【００１０】
自動カード発行機（以下、「カード発行機」という。）ｂは、甲駅の構内に設置され、利用者（非接触券の購入者）によって操作されるように構成されている。すなわち、このカード発行機ｂは、周知のカード発行機と同様に、上記係員処理機ａと同様の表示画面及び入力部を有するとともに、その内部にカード発行ユニットを有している。さらに、このカード発行機ａには、非接触券の購入代金を処理する金銭処理ユニット、すなわち、カード発行機ｂに投入された硬貨や紙幣の金銭を処理し、必要に応じて釣銭を排出することのできる金銭処理ユニットが設けられている。
【００１１】
これら係員処理機ａ及びカード発行機ｂは、通常、非接触券のデータ内容及び印字内容を書換える更新機能及び非接触券に対する金額の積増しを行う積増機能を有しているが、本発明の説明に直接関係しないので、それらの機能についての説明は省略する。
【００１２】
図中、１は、駅務機器制御装置、いわゆる駅制であって、マイクロコンピュータ（マイコン）を中心に形成され、係員処理機ａ及びカード発行機ｂと通信回線Ｌ１　を介して接続されている。したがって、図示しないが、係員処理機ａ及びカード発行機ｂには、駅制１と通信を行うための通信制御部がそれぞれ設けられている。この駅制１は、周知の駅制と同様に、係員処理機ａ及びカード発行機ｂの売上等の集計処理ができるとともに、各種の制御が行えるように構成され、また、通信回線Ｌ２　を介してこの甲駅及び図示しない駅に係る鉄道会社（電鉄会社）の本社等の所定の中央（図示の例では本社）に設けられているホストコンピュータからなる中央装置（以下、ホストコンピュータで説明する。）２に接続されている。なお、この駅制１には、甲駅に設置されている自動券売機や自動改札機、あるいは自動精算機等の他の駅務機器も接続されて管理制御されているが、ここでは省略されている。
【００１３】
ホストコンピュータ２は、甲駅の駅制１及び図示されない他の駅に設置される駅制を介して全社的な集計処理や各種の制御処理ができるように構成されているとともに、非接触券を１件（１枚）毎に一括して管理できるように構成されている。また、このホストコンピュータ２は、周知のインターネットを含む公衆回線網（本発明の通信回線の一部をなしている。）Ｌ３　に接続されていて、利用者、すなわち、本発明における非接触券を購入する者の所有するパーソナルコンピュータ（パソコン）３、電話器４、携帯電話器５及び図示しないこれら機器に類する通信機器と間接的に接続されている。なお、この公衆回線網Ｌ３　には、プロバイダの機器等も接続されているが、ここでは省略されている。
【００１４】
ホストコンピュータ２は、上述の公衆回線網Ｌ３　を介して自社のＰＲ用のホームページを開設しており、また、そのホームページの中に、非接触券を購入するためのページが含まれている。以下、図２のフローチャートを用いて非接触券の購入制御動作について説明する。
【００１５】
図２は、利用者がパソコン３を用いて非接触券を購入するときの制御動作を示していて、今、利用者がパソコン３を駆動して鉄道会社の開設しているホームページを開き、そして、そのホームページの中から非接触券の購入頁を開いたとする（ステップ１００肯定、ステップ１０２肯定）。以下、ステップを「Ｓ」とする。）。
【００１６】
非接触券の購入頁が開かれると、購入者（利用者）の氏名、住所、年齢、性別、電話番号、乗車区間等の非接触券を購入するために必要で、かつ、ホストコンピュータ２で非接触券を管理するのに必要な事項が所定の案内に従って入力される（Ｓ１０４）。そして、その所定の入力が終了し、所定の指示に従ってクリックすると、その入力した所定の非接触券を購入するための情報がホストコンピュータ２に受付けられて記憶され（Ｓ１０６肯定、Ｓ１０８、Ｓ１１０肯定）、ホストコンピュータ２からパソコン３に対して、正常に受付けられた旨、非接触券の引取場所、受付番号等が利用者に対して通知される（Ｓ１１２）。
【００１７】
ホストコンピュータ２に入力されて記憶されている非接触券の情報は、通信回線Ｌ２　を介して各駅（図１の甲駅で説明する。）の駅制１に送信可能となり、その駅制１を介して甲駅に設けられている係員処理機ａ及びカード発行機ｂに配信可能となる。したがって、係員処理機ａ又はカード発行機ｂからホストコンピュータ２に記憶されている非接触券の情報をいつでも引出すことができる。
【００１８】
上述の通知を受けた利用者が甲駅の係員窓口に出向いて受付番号又は購入者の氏名や電話番号等を申告し、かつ、所定の購入金額（購入金額の支払いが利用者の銀行口座からの引落としを含む。以下、同じ。）を支払って非接触券を受取ることができる。また、カード発行機ｂを用いて非接触券の発行を受けるときは、入力部を介して受付番号や電話番号等を入力し、かつ、所定の購入金額を満たす金銭を投入することにより非接触券の発行を受けることができる。このような非接触券の発行は、他の駅又は旅行案内所等の所定の場所に設置されている係員処理機ａ又はカード発行機ｂによっても可能である。
【００１９】
なお、上述の例では、利用者の機器としてパソコン３の例を示したが、電話器５でもよく、この場合は、ホストコンピュータ２側からの案内に従ってテンキーを操作することにより所定の非接触券の購入情報を入力することとなり、また、携帯電話器５の場合は、パソコン３と同様の要領で所定の情報を入力することができる。
【００２０】
【発明の効果】
本発明の請求項１に記載のカード発行システムは、所定のカードを発行するのに必要な所定の情報をその所定のカードを購入する者の機器を介して入力する入力手段と、その入力手段から離れた所定の位置に設けられ、その入力手段から入力された所定の情報に基づいてその所定のカードを発行する者の機器を用いて所定のカードを生成して発行する発行手段とからなるので、カードの発行を短時間で行うことができる。
本発明の請求項２に記載のカード発行システムは、所定のカードを発行するのに必要な所定の情報の入力は、通信回線を介して行うので、カードの発行を効率よく短時間で行うことができる。
本発明の請求項３に記載のカード発行システムは、所定のカードを発行するのに必要な所定の情報の入力は、その所定のカードを発行する者の提供するインターネット上のホームページを用いて行うので、カードの発行をインターネットを利用して効率よく行うことができる。
本発明の請求項４に記載のカード発行システムは、所定のカードを無線通信機能を有するＩＣカードからなる非接触券としたので、非接触式の自動改札機で使用する非接触券の発行を短時間で行うことができる。
本発明の請求項５に記載のカード発行システムは、所定のカードを発行する者の機器をその所定のカードを購入する者によって操作されるカード発行機又はその所定のカードを発行する者によって操作される係員処理機としたので、利用者の機器を利用して効率よくカードの発行を受けることができる。
【図面の簡単な説明】
【図１】本発明の一実施の形態に係るカード発行システムの概略構成図である。
【図２】制御動作を示すフローチャートである。
【符号の説明】
ａ　係員処理機
ｂ　自動カード発行機（カード発行機）
１　駅制
２　ホストコンピュータ（中央装置）
３　パソコン
４　電話器
５　携帯電話器
Ｌ１　，Ｌ２　　通信回線
Ｌ３　　公衆回線網（通信回線）
【図１】
2004070650.tif 000003
【図２】
2004070650.tif 000004